(57)【要約】    【課題】  顧客がポイントカードを書換え時に、ポイントの集積数に応じて付与される最新の景品と、その景品を交換できる期間（有効期限）を確認でき、ポイントを集積する意欲を湧かせて、ポイントカード発行者の商店等に買い物を集中させる効果をもたらすポイントカードを提供することを課題とする。    【解決手段】  表示領域１４にポイントの集積数に応じて付与される景品情報を表示する景品表示領域１５と、また、景品表示領域１５には、ポイントの集積数に応じて付与される景品の景品名を表示した景品名表示領域１７と、景品表示領域１５を最後に書換えした年月日を表示する最終更新日表示領域１８と、景品表示領域１５の表示の内容がいつまでが保証できる有効期限なのかを表示する有効期限表示領域１９と、を有することを特徴とする。【選択図】  図１
2006281557.tif 000002
【特許請求の範囲】
【請求項１】
書換え可能な表示領域を備えたカードであって、
表示領域に使用回数や使用金額等に応じて付与されるポイントを表示するポイント表示領域と、
ポイントの集積数を表示するポイント集積数表示領域と、
ポイントの集積数に応じて付与される景品情報を表示する景品表示領域と、を有することを特徴とするポイントカード。
【請求項２】
景品表示領域には、ポイントの集積数に応じて付与される景品の景品名を表示した景品名表示領域と、景品表示領域を最後に書換えした年月日を表示する最終更新日表示領域と、を有することを特徴とする請求項１記載のポイントカード
【請求項３】
景品表示領域には、景品表示領域の表示を保証できる有効期限を表示する有効期限表示領域を有することを特徴とする請求項１記載のポイントカード。
【発明の詳細な説明】
【技術分野】
【０００１】
本発明は、書換え可能な表示領域を備えたリライトカードに係り、特に使用回数や使用金額等に応じて付与されるポイントと、そのポイントの集積数を表示し、記憶するポイントカードに関する。
【背景技術】
【０００２】
従来、商店街やショッピングセンター、又はフランチャイズ企業やチェーン店、或いは個人商店などにおける顧客勧誘用のカードとして、使用回数や使用金額等に応じてポイントを与え、ポイントの集積数が一定単位量に達したら、その集積数に応じて景品と引換えることができるポイントカードがある。
【０００３】
このポイントカードは、表面に情報を表示する表示領域の素材として有効な熱可逆性材料を使用するもので、この熱可逆性材料は、有機低分子物質と樹脂を利用し、加熱により透明状態と白濁状態とが可逆的に変化し、更に、常温でもその２形態を維持するという特質を備えている。また、裏面には磁気記録層が形成されており、情報を記録できるようになっている。
【０００４】
図３および図４は、それぞれ従来のポイントカードの正面図および断面図を示すもので、図面において、ポイントカード１は、ポリエステル樹脂、硬質塩化ビニル樹脂等のカード基材２の表面にアルミ蒸着層３が真空蒸着、スパッタリング蒸着等により形成されており、更にその上層に熱可逆性感熱記録層４が積層形成されている。
【０００５】
そして、熱可逆性感熱記録層４の上層には、表示領域５と印刷領域６とに区画されており、表示領域５は、使用回数や使用金額等に応じて付与されるポイントを表示するポイント表示領域７と、そのポイントの集積数を表示するポイント集積数表示領域８が形成されている。また、印刷領域６は、白色印刷９およびこの白色印刷９の上層にカラー印刷１０が施されている。
【０００６】
また、カード基材２の裏面には、ポイントやポイントの集積数等のデータを書込みおよび消去可能な磁気記録層１１が形成されている。
【０００７】
また、このポイントカード１の表示領域への印字方法として、図示しないカードプリンタのサーマルヘッドの発熱作用により透明状態にある熱可逆性感熱記録層４に白濁部分を形成し、表示領域５にポイントやポイントの集積数を印字する。
また、表示領域の印字の消去方法として、図示しないカードプリンタの熱板を熱可逆性感熱記録層４に押し付けることにより、熱可逆性感熱記録層４をすべて透明化させて、表示領域５に印字されているポイントやポイントの集積数を消去する。
【０００８】
また、このポイントカード１における磁気記録層１１の記録方法として、図示しないカードプリンタの磁気ヘッドにより磁気記録層に記録されたポイントやポイントの集積数等のデータを読取ったり、データの書込みや消去を行う。
【０００９】
熱可逆性感熱記録層４は図５に示すように白濁部分１２と透明部分１３とに分けられ、透明部分１３において、アルミ蒸着層３の銀色が表示領域５の地色となり、白濁部分１２に対応する部分がポイントやポイントの集積数として白抜き状に浮かび上がる。このように、カードプリンタの熱板により、熱可逆性感熱記録層に印字されているポイントやポイントの集積数を消去し、サーマルヘッドを操作することにより、ポイントやポイントの集積数を印字し、書換えを行っている。
また、カードプリンタの熱板とサーマルヘッドによってポイントカード１の熱可逆性感熱記録層４の書換えを行い、磁気ヘッドにより磁気記録層１１に印字した情報と同一のポイントやポイントの集積数のデータの書換えを行う。
【００１０】
上述したポイントカード１を、ポイントカード発行者である商店等で、ポイントカード所持者である顧客はポイントの集積数を確認して、そのポイントの集積数の範囲内の景品に交換している。
【００１１】
しかしながら、従来のポイントカード１はポイントの情報として、使用回数や使用金額等に応じて付与されるポイント表示領域７のポイントと、ポイント集積数表示領域８のポイントの集積数しか表示されていなかったため、例えば顧客がポイントカードのポイントの集積数がある一定量になったと判断した際、そのポイントの集積数で交換できる景品を確認しようとする時は、商店等に問い合わせるか若しくは商店等の宣伝、広告、インターネットのホームページ等に記載されている景品に交換できるポイントの集積数の情報を確認することによってしか知り得ることができなかった。
【００１２】
また、顧客が景品に交換できるポイントの集積数の情報を知っていたとしても、商店等の都合で景品に変更がある場合又は月ごとに景品の内容が変更する場合等の理由によって、顧客は、現在所持しているポイント集積数で、どのような景品と交換できるのかを確認することはできないという問題点があった。
【００１３】
上述した理由により、所定のポイントの集積数まで達していても交換できる景品を知ることに手間がかかり、交換できる景品を容易に確認できないため、現在所持しているポイントの集積数で、どのような景品と交換できるのか明らかにならず、景品と交換することなくポイントカードを廃棄する場合も少なくなかった。
また、所定のポイントの集積数でどのような景品と交換できるのかが明らかになっていないため、商店等が顧客にポイントカードを発行したとしても、顧客にポイントを集積する意欲を湧かすことはできず、よって、顧客をポイントカード発行者の商店等に買い物を集中させることも困難で、結局、顧客の勧誘用カードとしては効果が薄かった。
【特許文献１】特開平０５-２３３９５７
【発明の開示】
【発明が解決しようとする課題】
【００１４】
本発明は、上記のような問題点に着目してなされたものであって、顧客がポイントカードを書換え時に、ポイントの集積数に応じて付与される最新の景品と、その景品を交換できる期間（有効期限）を確認でき、ポイントを集積する意欲を湧かせて、ポイントカード発行者の商店等に買い物を集中させる効果をもたらすポイントカードを提供することを目的とする。
【課題を解決するための手段】
【００１５】
本発明に係るポイントカードは、書換え可能な表示領域を備えたカードであって、表示領域に使用回数や使用金額等に応じて付与されるポイントを表示するポイント表示領域と、ポイントの集積数を表示するポイント集積数表示領域と、ポイントの集積数に応じて付与される景品情報を表示する景品表示領域と、を有することを特徴とする。
また、景品表示領域には、ポイントの集積数に応じて付与される景品の景品名を表示した景品名表示領域と、景品表示領域を最後に書換えした年月日を表示する最終更新日表示領域と、を有することもできる。
また、景品表示領域には、景品表示領域の表示を保証できる有効期限を表示する有効期限表示領域を有することもできる。
【発明の効果】
【００１６】
本発明に係るポイントカードは、書換え可能な表示領域を備えたカードであって、表示領域に使用回数や使用金額等に応じて付与されるポイントを表示するポイント表示領域と、ポイントの集積数を表示するポイント集積数表示領域と、ポイントの集積数に応じて付与される景品情報を表示する景品表示領域を有するため、所持しているポイントの集積数およびこのポイントの集積数で交換できる景品情報を確認することができる。
また、景品表示領域には、ポイントの集積数に応じて付与される景品の景品名を表示した景品名表示領域と、景品表示領域を最後に書換えした年月日を表示する最終更新日表示領域を有するため、ポイントの集積数に応じて交換できる景品の景品名および景品表示領域に表示された情報がいつの情報であるかを確認することができる。
また、景品表示領域には、景品表示領域の表示を保証できる有効期限を表示する有効期限表示領域を有するため、いつまでが景品を交換できる有効期限なのかを確認でき、顧客にポイントを集積する意欲を湧かせて、ポイントカード発行者の商店等に買い物を集中させる効果をもたらすことができる。
【発明を実施するための最良の形態】
【００１７】
以下、本発明に係るポイントカード１の実施の形態について図面に基づいて詳細に説明する。
【００１８】
図１および図２は、それぞれ本発明に係るポイントカード１の平面図および断面図を示すものである。尚、上述した構成要素と同一の構成については同一の符号を付し、その説明を省略する。
【００１９】
ポイントカード１は、ポリエステル樹脂、硬質塩化ビニル樹脂等のカード基材２の表面に書換え可能でかつ目視可能な表示領域１４と、白色印刷９およびこの白色印刷の上層にカラー印刷１０が施されている印刷領域６と、裏面にポイントやポイントの集積数及び景品情報を記録する磁気記録層１１と、を有する。
【００２０】
表示領域１４には、会員番号、名前、来店日や特売日やカードの有効期限等の情報を表示する印字内容領域１６と、商店等での買い物時等に使用回数や使用金額等に応じて付与されるポイントを表示するポイント表示領域７と、ポイントの集積数を表示するポイント集積数表示領域８と、ポイントの集積数に応じて付与される景品の情報を表示する景品表示領域１５と、が書換え可能に形成されている。
【００２１】
印字内容領域１６には、会員番号、名前、来店日や特売日やカードの有効期限等の情報を表示している。また、通常時よりポイントを２倍付与するキャンペーン情報を表示しても良い。
【００２２】
景品表示領域１５は、景品名表示領域１７と、最終更新日表示領域１８と、有効期限表示領域１９と、を有する。
景品名表示領域１７には、景品情報としての景品名および景品に対応するポイントの集積数を表示し、図１において例えば景品名としてごみ袋（２０枚）、景品に対応するポイントの集積数として１００ポイントを表示している。
最終更新日表示領域１８には、景品表示領域１５の表示が、いつ時点の情報なのかが分かるように、景品表示領域１５を最後に書換えした年月日を表示している。
有効期限表示領域１９には、商店等の都合による景品の変更等も考慮して、商店等が景品表示領域に表示の内容について、いつまでが保証できる有効期限なのかを年月日で表示している。
【００２３】
印刷領域６には、商店等のポイントカード発行者の店名や住所、電話番号等を印字している。
また、表示領域１４の書換えをしない表示については印刷領域に表示することもできる。
【００２４】
磁気記録層１１は、ポイント、ポイントの集積数、景品情報、景品表示領域を最後に書換えした年月日、景品表示領域１４に表示された内容を保証できる有効期限等のデータを、磁気ヘッドを用いて読取り、消去、或いは新しいデータの書込みを行う。
【００２５】
このように、本発明によれば、例えば、商店で買い物した際に、ポイントカードに今回の買い物で発生したポイント１５ポイントをポイント表示領域７に、過去の集積したポイントの集積数に今回の買い物で発生した１５ポイントを加算した２８０ポイントをポイント集積数表示領域８に書換え可能に表示すると共に、所定のポイントの集積数で交換できる景品名を景品名表示領域１６に書換え可能に表示できるため、顧客が所定のポイントの集積数で交換できる景品を、ポイントカード１を見るだけで容易に確認できる。
また、最終更新日表示領域１８に、景品表示領域１５を最後に書換えした年月日を表示したため、景品表示領域１５の景品情報がいつ時点の情報なのか確認できる。
また、有効期限表示領域１９に、景品表示領域１５に表示の内容について、商店等がいつまでが保証できる有効期限なのかを年月日で表示したため、景品表示領域に表示された景品について交換する期限を逃すことなく交換できる。
【００２６】
上記のポイントカードの使用形態としては、商店等の店頭でポイントカードの表示領域１４の印字をカードプリンタの熱板により消去して、サーマルヘッドによって印字し、書換えを行うとともに、同様に磁気ヘッドによって磁気記録層１１内に記録されているポイント、ポイントの集積数、景品情報、景品表示領域５を最後に書換えした年月日、景品表示領域５の表示を保証できる有効期限等のデータを、読取り、消去、或いは新しいデータの書込みを行う。
【００２７】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２８】
【図１】本発明に係るポイントカードの実施の形態を示す平面図である。
【図２】本発明に係るポイントカードの実施の形態を示す断面図である。
【図３】従来のポイントカードの平面図である。
【図４】従来のポイントカードの断面図である。
【図５】従来のポイントカードの熱可逆性感熱記録層の詳細図である。
【符号の説明】
【００２９】
１            ポイントカード
２            カード基材
３            アルミ蒸着層
４            熱可逆性感熱記録層
５            表示領域
６            印刷領域
７            ポイント表示領域
８            ポイント集積数表示領域
９            白色印刷
１０            カラー印刷
１１            磁気記録層
１２            白濁部分
１３            透明部分
１４            表示領域
１５            景品表示領域
１６            印字内容領域
１７            景品名表示領域
１８            最終更新日表示領域
１９            有効期限表示領域
【図１】
2006281557.tif 000003
【図２】
2006281557.tif 000004
【図３】
2006281557.tif 000005
【図４】
2006281557.tif 000006
【図５】
2006281557.tif 000007